Podtech/llm-jp-corpus-v4-ja_patent huggingface dataset:
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
複数の排紙部のうち、いずれかの排紙部に画像形成されたシートを排紙する画像形成装置であって、
プリントジョブを受付ける受付手段と、
前記受付手段によって受付けたプリントジョブを実行することによって画像形成されるシートを、前記複数の排紙部のうちのいずれかの排紙部に排紙するよう制御する制御手段と、
前記受付手段によって受付けたプリントジョブの実行により排紙されるシートを排紙できるか否かを、実行されていない先行のプリントジョブが実行された場合の前記複数の排紙部の排紙状況に基づいて判定する判定手段と、
前記判定手段によって排紙できないと判定された場合に、ユーザに通知する通知手段とを備えることを特徴とする画像形成装置。
【請求項２】
前記判定手段は、シートが排紙されていない排紙部が存在しても、当該シートの排紙されていない排紙部に、前記先行のプリントジョブを実行することによりシートが排紙される場合には、前記受付手段によって受付けたプリントジョブの実行により排紙されるシートを排紙できないと判定することを特徴とする請求項１に記載の画像形成装置。
【請求項３】
前記判定手段は、前記先行のプリントジョブが実行されてもシートが排紙されない排紙部がある場合に、前記受付手段によって受付けたプリントジョブの実行により排紙されるシートを排紙できると判定することを特徴とする請求項１または２に記載の画像形成装置。
【請求項４】
前記シートの排紙状況として、前記複数の排紙部のそれぞれについて、使用者を管理する管理手段をさらに備え、
前記制御手段によって、前記受付手段によって受付けたプリントジョブを実行することによって画像形成されるシートが排紙された場合に、前記管理手段は、当該排紙部の使用者として、当該プリントジョブに対応するユーザの情報を関連付けて記憶することを特徴とする請求項１乃至３のいずれか１項に記載の画像形成装置。
【請求項５】
前記判定手段は、前記複数の排紙部のいずれかの排紙部に、前記受付手段によって受付けたプリントジョブに対応するユーザが、前記排紙部の使用者として関連付けて記憶されている場合には、当該プリントジョブの実行により排紙されるシートを排紙できると判定することを特徴とする請求項４に記載の画像形成装置。
【請求項６】
前記複数の排紙部はそれぞれ施錠可能であることを特徴とする請求項１乃至５のいずれか１項に記載の画像形成装置。
【請求項７】
前記施錠可能な複数の排紙部に加えて、施錠されない排紙部を備え、
前記判定手段が、前記受付手段によって受付けたプリントジョブの実行により排紙されるシートを排紙できないとした場合に、当該プリントジョブを、前記施錠されない排紙部に排紙するよう指示する指示手段をさらに備えることを特徴とする請求項６に記載の画像形成装置。
【請求項８】
前記判定手段が、前記受付手段によって受付けたプリントジョブの実行により排紙されるシートを排紙できないと判定した場合に、ユーザの指示に応じて、前記プリントジョブを前記施錠可能な排紙部への排紙が可能になるまで保持する保持手段を更に備えることを特徴とする請求項４に記載の画像形成装置。
【請求項９】
複数の排紙部のうち、いずれかの排紙部に画像形成されたシートを排紙する画像形成装置の制御方法であって、
プリントジョブを受付ける受付工程と、
前記受付工程で受付けたプリントジョブを実行することによって画像形成されるシートを、前記複数の排紙部のうちのいずれかの排紙部に排紙するよう制御する制御工程と、
前記受付工程で受付けたプリントジョブの実行により排紙されるシートを排紙できるか否かを、実行されていない先行のプリントジョブが実行された場合の前記複数の排紙部の排紙状況に基づいて判定する判定工程と、
前記判定工程によって排紙できないと判定された場合に、ユーザに通知する通知工程とを備えることを特徴とする画像形成装置の制御方法。
【請求項１０】
請求項９に記載の画像形成装置の制御方法を、コンピュータに実行させるためのプログラム。
【手続補正２】
【補正対象書類名】明細書
【補正対象項目名】０００７
【補正方法】変更
【補正の内容】
【０００７】
複数の排紙部のうち、いずれかの排紙部に画像形成されたシートを排紙する画像形成装置であって、
プリントジョブを受付ける受付手段と、
前記受付手段によって受付けたプリントジョブを実行することによって画像形成されるシートを、前記複数の排紙部のうちのいずれかの排紙部に排紙するよう制御する制御手段と、
前記受付手段によって受付けたプリントジョブの実行により排紙されるシートを排紙できるか否かを、実行されていない先行のプリントジョブが実行された場合の前記複数の排紙部の排紙状況に基づいて判定する判定手段と、
前記判定手段によって排紙できないと判定された場合に、ユーザに通知する通知手段とを備える。
【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
インクを吐出する複数の吐出口が配列された複数の吐出口列を主走査方向に配置した記録ヘッドを、記録媒体に対して前記主走査方向に走査して、画像データに基づき記録を行うインクジェット記録方法であって、
前記記録媒体に記録を行う前記主走査方向の領域内を複数に区分けして得られた複数の区間ごとに、前記主走査方向と交差する副走査方向の、前記複数の吐出口列のうち一の吐出口列と他の吐出口列とのインクの着弾のズレ量を検出する検出工程と、
前記検出されたズレ量に基づいて、前記副走査方向のインクの着弾位置が補正されるように前記画像データを前記複数の区間ごとに補正する補正工程と、
前記補正された画像データに基づいて記録を行う記録工程と、
を備えることを特徴とするインクジェット記録方法。
【請求項２】
前記補正工程は、記録を行う際に使用する吐出口が変更されるように画像データを補正することを特徴とする請求項１に記載のインクジェット記録方法。
【請求項３】
前記ズレ量を検出する検出工程は、複数の検出パターンを記録するパターン記録工程と、前記複数の検出パターンの濃度を光学センサーで検出する濃度検出工程と、前記検出した濃度に基づいてズレ量を算出する算出工程を含むことを特徴とする請求項１または請求項２に記載のインクジェット記録方法。
【請求項４】
前記複数の検出パターンを記録するパターン記録工程は、一の検出パターンと、該一の検出パターンと前記副走査方向に所定の画素をずらして記録される１以上の他の検出パターンとの記録を行ない、前記ズレ量を算出する算出工程は、前記複数の検出パターンのそれぞれから検出された濃度の平均値のうち最も小さい平均値の検出パターンの画素のずらし量を着弾ズレ中心値とし、該着弾ズレ中心値からのズレ量を算出することを特徴とする請求項３に記載のインクジェット記録方法。
【請求項５】
前記一の吐出口列と他の吐出口列とは、前記複数の吐出口列の一端の吐出口列と他端の吐出口列であることを特徴とする請求項１から請求項４のいずれか１項に記載のインクジェット記録方法。
【請求項６】
前記記録ヘッドの一方向の走査により記録を行う一方向記録モードと、前記記録ヘッドの双方向の往復走査により記録を行う双方向記録モードを選択可能な記録方法であって、インクの着弾のズレ量を検出する検出工程は、前記一方向記録モードと、前記双方向記録モードのそれぞれについて検出することを特徴とする請求項１から請求項５のいずれか１項に記載のインクジェット記録方法。
【請求項７】
インクを吐出する複数の吐出口が配列された複数の吐出口列を主走査方向に配置した記録ヘッドを、記録媒体に対して前記主走査方向に走査して、画像データに基づき記録を行うインクジェット記録装置であって、
前記記録媒体に記録を行う前記主走査方向の領域内を複数に区分けして得られた複数の区間ごとに、前記主走査方向と交差する副走査方向の、前記複数の吐出口列のうち一の吐出口列と他の吐出口列とのインクの着弾のズレ量を検出する検出手段と、
前記検出されたズレ量に基づいて、前記副走査方向のインクの着弾位置が補正されるように前記画像データを前記複数の区間ごとに補正する補正手段と、
前記補正された画像データに基づいて記録を行う記録手段と、
を備えることを特徴とするインクジェット記録装置。
【請求項８】
前記補正手段は、記録する際に使用する吐出口が変更されるように画像データを補正することを特徴とする請求項７に記載のインクジェット記録装置。
【手続補正２】
【補正対象書類名】明細書
【補正対象項目名】００１０
【補正方法】変更
【補正の内容】
【００１０】
上記目的を達成するために本発明は、インクを吐出する複数の吐出口が配列された複数の吐出口列を主走査方向に配置した記録ヘッドを、記録媒体に対して前記主走査方向に走査して、画像データに基づき記録を行うインクジェット記録方法であって、前記記録媒体に記録を行う前記主走査方向の領域内を複数に区分けして得られた複数の区間ごとに、前記主走査方向と交差する副走査方向の、前記複数の吐出口列のうち一の吐出口列と他の吐出口列とのインクの着弾のズレ量を検出する検出工程と、前記検出されたズレ量に基づいて、前記副走査方向のインクの着弾位置が補正されるように前記画像データを前記複数の区間ごとに補正する補正工程と、前記補正された画像データに基づいて記録を行う記録工程と、を備えることを特徴とする。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
第１始動領域を遊技媒体が通過した後、可変表示の開始を許容する開始条件が成立したことにもとづいて各々を識別可能な複数種類の第１識別情報の可変表示を開始し、表示結果を導出表示する第１可変表示部と、第２始動領域を遊技媒体が通過した後、前記開始条件が成立したことにもとづいて各々を識別可能な複数種類の第２識別情報の可変表示を開始し、表示結果を導出表示する第２可変表示部と、を備え、前記第１可変表示部または前記第２可変表示部において導出表示された表示結果が特定表示結果となったことにもとづいて特定遊技状態となる遊技機において、
遊技の進行を制御する遊技制御用マイクロコンピュータと、
前記遊技制御用マイクロコンピュータからのコマンドにもとづいて、前記第１識別情報の可変表示および前記第２識別情報の可変表示に対応した演出の実行を制御する演出制御用マイクロコンピュータと、を備え、
前記遊技制御用マイクロコンピュータは、
前記第１始動領域を遊技媒体が通過したことにもとづいて、少なくとも、前記第１可変表示部における前記第１識別情報の可変表示の表示結果を前記特定表示結果とするか否かを決定するための第１特定遊技状態決定用数値データを含む第１表示結果決定用数値データを抽出する第１数値データ抽出手段と、
前記第２始動領域を遊技媒体が通過したことにもとづいて、少なくとも、前記第２可変表示部における前記第２識別情報の可変表示の表示結果を前記特定表示結果とするか否かを決定するための第２特定遊技状態決定用数値データを含む第２表示結果決定用数値データを抽出する第２数値データ抽出手段と、
前記第１始動領域を遊技媒体が通過したにもかかわらず前記開始条件が成立していない前記第１識別情報の可変表示について、所定の上限数を限度に、前記第１数値データ抽出手段により抽出された前記第１表示結果決定用数値データを保留記憶として記憶する第１保留記憶手段と、
前記第２始動領域を遊技媒体が通過したにもかかわらず前記開始条件が成立していない前記第２識別情報の可変表示について、所定の上限数を限度に、前記第２数値データ抽出手段により抽出された前記第２表示結果決定用数値データを保留記憶として記憶する第２保留記憶手段と、
前記開始条件が成立したことにもとづいて前記第１保留記憶手段に記憶された前記第１表示結果決定用数値データを用いて、前記第１可変表示部における前記第１識別情報の可変表示の表示結果を前記特定表示結果とするか否かを前記第１識別情報の可変表示の表示結果が導出表示される以前に決定する第１事前決定手段と、
前記開始条件が成立したことにもとづいて前記第２保留記憶手段に記憶された前記第２表示結果決定用数値データを用いて、前記第２可変表示部における前記第２識別情報の可変表示の表示結果を前記特定表示結果とするか否かを前記第２識別情報の可変表示の表示結果が導出表示される以前に決定する第２事前決定手段と、
前記第１事前決定手段の決定結果にもとづいて、前記第１識別情報の可変表示パターンを、複数種類の可変表示パターンのうちから決定する第１可変表示パターン決定手段と、
前記第２事前決定手段の決定結果にもとづいて、前記第２識別情報の可変表示パターンを、複数種類の可変表示パターンのうちから決定する第２可変表示パターン決定手段と、
前記第１識別情報または前記第２識別情報の可変表示を開始するときに、前記第１可変表示パターン決定手段または前記第２可変表示パターン決定手段によって決定された可変表示パターンを特定可能な可変表示パターンコマンドと、前記第１可変表示部における前記第１識別情報または前記第２可変表示部における前記第２識別情報の可変表示が開始されることにより前記第１保留記憶手段または前記第２保留記憶手段が記憶する保留記憶の数が減少したことを示す保留記憶減少コマンドとを、開始時コマンドとして送信する開始時コマンド送信手段と、を含み、
前記開始時コマンド送信手段は、
前記第１可変表示パターン決定手段によって可変表示パターンが決定されたときと、前記第２可変表示パターン決定手段によって可変表示パターンが決定されたときとで、共通の前記可変表示パターンコマンドを送信するとともに、
前記第１保留記憶手段と前記第２保留記憶手段とのうちのいずれが記憶する保留記憶の数が減少したかを特定可能に前記保留記憶減少コマンドを送信し、
前記演出制御用マイクロコンピュータは、
前記第１保留記憶手段が記憶する保留記憶の数と前記第２保留記憶手段が記憶する保留記憶の数とを区別可能に保留記憶数表示部に表示する制御を行う保留記憶数表示制御手段と、
前記保留記憶減少コマンドにもとづいて前記第１保留記憶手段と前記第２保留記憶手段とのうちのいずれが記憶する保留記憶の数が減少したかを特定して、前記保留記憶数表示部に表示する保留記憶の数を更新する保留記憶数表示更新手段と、を含む
ことを特徴とする遊技機。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
第１始動領域を遊技媒体が通過した後、可変表示の開始を許容する開始条件が成立したことにもとづいて各々を識別可能な複数種類の第１識別情報の可変表示を開始し、表示結果を導出表示する第１可変表示部と、第２始動領域を遊技媒体が通過した後、前記開始条件が成立したことにもとづいて各々を識別可能な複数種類の第２識別情報の可変表示を開始し、表示結果を導出表示する第２可変表示部と、を備え、前記第１可変表示部または前記第２可変表示部において導出表示された表示結果が特定表示結果となったことにもとづいて特定遊技状態となる遊技機において、
遊技の進行を制御する遊技制御用マイクロコンピュータと、
前記遊技制御用マイクロコンピュータからのコマンドにもとづいて、前記第１識別情報の可変表示および前記第２識別情報の可変表示に対応した演出の実行を制御する演出制御用マイクロコンピュータと、を備え、
前記遊技制御用マイクロコンピュータは、
前記開始条件が成立したことにもとづいて、前記第１可変表示部における前記第１識別情報の可変表示の表示結果を前記特定表示結果とするか否かを前記第１識別情報の可変表示の表示結果が導出表示される以前に決定する第１事前決定手段と、
前記開始条件が成立したことにもとづいて、前記第２可変表示部における前記第２識別情報の可変表示の表示結果を前記特定表示結果とするか否かを前記第２識別情報の可変表示の表示結果が導出表示される以前に決定する第２事前決定手段と、
前記第１事前決定手段の決定結果にもとづいて、前記第１識別情報の可変表示パターンを、複数種類の可変表示パターンのうちから決定する第１可変表示パターン決定手段と、
前記第２事前決定手段の決定結果にもとづいて、前記第２識別情報の可変表示パターンを、複数種類の可変表示パターンのうちから決定する第２可変表示パターン決定手段と、
前記第１識別情報または前記第２識別情報の可変表示を開始するときに、前記第１可変表示パターン決定手段または前記第２可変表示パターン決定手段によって決定された可変表示パターンを特定可能な可変表示パターンコマンドと、前記第１事前決定手段の決定結果または前記第２事前決定手段の決定結果を示す表示結果コマンドとを、開始時コマンドとして送信する開始時コマンド送信手段と、を含み、
前記開始時コマンド送信手段は、
前記第１可変表示パターン決定手段によって可変表示パターンが決定されたときと、前記第２可変表示パターン決定手段によって可変表示パターンが決定されたときとで、共通の前記可変表示パターンコマンドを送信するとともに、
前記第１事前決定手段によって決定された決定結果と前記第２事前決定手段によって決定された決定結果とのうちのいずれの決定結果であるかを特定可能に前記表示結果コマンドを送信し、
前記演出制御用マイクロコンピュータは、前記表示結果コマンドにもとづいて、前記第１識別情報の可変表示と前記第２識別情報の可変表示とのうちのいずれの可変表示が実行されるかを特定する
ことを特徴とする遊技機。
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
被検体に静磁場を与える静磁場発生手段と、
前記被検体に傾斜磁場を与える傾斜磁場発生手段と、
前記被検体に照射する高周波パルスを所定のシーケンスで印加するシーケンサと、
前記シーケンサからの高周波パルスにより高周波信号を前記被検体に照射する送信系と、
前記照射により放出される信号を検出する手段をもった受信系と、
前記受信系で検出した信号を記憶保存し、前記検出した信号を用いて画像再構成演算を行なう信号処理系を備えた信号処理装置と、
前記受信系を用い検出した信号に対してあらかじめ定められた前記画像再構成演算を行なう手段を持つ画像再構成処理装置と
を具備してなる磁気共鳴イメージング装置において、
前記画像再構成処理装置は、あらかじめ取得された感度マップを用いて、前記画像再構成演算により得られた再構成画像に対して前記受信系を構成する受信コイルの感度むらを補正するための受信コイルの感度分布に基づくシェーディング補正処理を行ない、前記再構成画像からノイズの平均値を求め、前記受信コイルの感度分布に基づくシェーディング補正処理を施す以前の前記再構成画像から前記ノイズの平均値を除算し、前記受信コイルの感度分布に基づくシェーディング補正処理を施した後に前記ノイズの平均値を加算するノイズ持ち上がり処理を行なうソフトウェア演算処理系から成るノイズ持ち上がり防止手段を備え、
前記シーケンサにて、ｋ空間中心の回りに回転させた各ブレード領域のデータを取得する放射状計測において、
前記ノイズ持ち上がり防止手段は、
前記各ブレードのノイズ平均値を求めて、全ブレードのノイズ平均値を得て、前記画像再構成演算の処理を行なう手段を有することを特徴とする磁気共鳴イメージング装置。
【請求項２】
請求項１記載の磁気共鳴イメージング装置において、
前記ノイズの平均値が、非カーテシアンから取得されたデータに基づくことを特徴とする磁気共鳴イメージング装置。
【請求項３】
請求項１記載の磁気共鳴イメージング装置において、
前記ノイズの平均値が、前記各ブレード領域のデータを用いてブレード毎のノイズ平均値を導出し、導出された該ノイズ平均値に基づいて全ブレードのノイズ平均値が導出された平均値であることを特徴とする磁気共鳴イメージング装置。
【請求項４】
請求項３記載の磁気共鳴イメージング装置において、
前記ノイズ持ち上がり防止手段によるノイズ持ち上がり防止処理において、前記全ブレードのノイズ平均値を除算に用い、再度、該全ブレードのノイズ平均値を加算に用いることを特徴とする磁気共鳴イメージング装置。
【手続補正２】
【補正対象書類名】明細書
【補正対象項目名】０００４
【補正方法】変更
【補正の内容】
【０００４】
コイルの感度分布により生じるシェーディングを補正するための機能として、受信コイルの感度分布に基づくシェーディング補正（または、ＮＡＴＵＲＡＬ補正と称す）処理がある。この受信コイルの感度分布に基づくシェーディング補正処理は、コイルの感度分布に従って、画像の信号値を修正する機能である。これは、対象となる領域の信号の大きさに関係なく行われる。コイルの感度マップが小さい領域では、受信コイルの感度分布に基づくシェーディング補正処理によって、信号値が大きくされる。もし、この領域が、ほとんどノイズしかない領域になった場合でも、この領域の信号は大きくなるという問題がある。この問題を解決する方法として、ノイズ持ち上がり防止処理が知られている。
【手続補正３】
【補正対象書類名】明細書
【補正対象項目名】０００９
【補正方法】変更
【補正の内容】
【０００９】
このＲＡＤＡＲ計測において、上記のノイズ持ち上がり防止処理を施すと、griddingの結果、画像の端の領域に、同心円状にアーチファクトが生じてしまう。この結果、画像の端の信号値の平均値をノイズの平均値と解釈すると、ノイズの平均値が、画像の低信号領域とほぼ同じ大きさになってしまう。すなわち、プリサチの結果、低信号となった領域だけでなく、本来、低信号で描出されていた領域の信号も、受信コイルの感度分布に基づくシェーディング補正処理の対象外にされてしまう。このために、受信コイルの感度分布に基づくシェーディング補正処理で持ち上げられる領域が、低信号のまま残ってしまい、結果として、画像のコントラストが落ちてしまうという問題がある。
【手続補正４】
【補正対象書類名】明細書
【補正対象項目名】００３４
【補正方法】変更
【補正の内容】
【００３４】
受信コイルの感度分布に基づくシェーディング補正処理では、コイルの感度分布に従って、画像の信号値を修正する機能である。これは、対象となる領域の信号の大きさに関係なく行われる。コイルの感度マップが小さい領域では、受信コイルの感度分布に基づくシェーディング補正処理によって、信号値が大きくされる。もし、この領域が、ほとんどノイズしかない領域になった場合でも、この領域の信号は大きくなる。しかし、この領域はノイズしかないので、結果として、受信コイルの感度分布に基づくシェーディング補正処理によりノイズが持ち上げられてしまう。図２で示すように、この問題を回避するために、画像全体からノイズ領域の平均値を引き算(除算)し、ノイズ領域の信号を小さくしておいて、受信コイルの感度分布に基づくシェーディング補正処理を行い、その後に、画像全体に先に除算した分に相当するノイズ領域の平均値を加える（加算）。この処理を行うことで、画像全体の信号を変えることなく、ノイズの持ち上がりが起こらないようにしている。このノイズの平均値を受信コイルの感度分布に基づくシェーディング補正処理の前後で、引いて足す処理を、ノイズ持ち上がり防止処理と呼んでいる。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
複数の図柄が付されると共に上下方向に回動可能な複数の回動表示体が並んで配置される回動表示装置と、
所定の演出画像が表示される演出画像表示領域を有する演出画像表示装置と、
縦長矩形状の前面遊技部を有し、該前面遊技部の上端にて左右方向に伸びる上部材と当該上部材の両端側から下方に向かう一対の縦部材とで、前記前面遊技部の略上半部に区画形成される情報表示領域を有する筐体と、
前記複数の回転表示体の各々に対応して設けられ、ゲームが行われる毎に、回動している前記複数の回動表示体を外部操作によって個々に停止させうる停止操作手段と、
遊技媒体を投入して行われる１回のゲーム毎に、複数の入賞役とハズレとを含む役のなかからいずれかの役を選び出しうる内部抽選を行う抽選手段と、
前記内部抽選によりいずれかの入賞役が選び出されたときに、当該選び出された入賞役に対応する図柄の組み合わせが入賞しうるように前記各回動表示体の回動の停止を制御する回動停止制御手段と、
前記情報表示領域の上端領域には、前記回動表示体に付された複数の図柄のうち一またはニ以上の図柄が表出される小窓部が形成されており、
前記各回動表示体全てが停止された際に前記小窓部に表出された図柄の組み合わせに基づいて、前記複数の入賞役のうちいずれかの役に対応する図柄の組み合わせが入賞したか否かを判定する図柄判定手段と、
前記図柄判定手段により前記複数の入賞役のうちいずれかの入賞役に対応する図柄の組み合わせが入賞したと判定されたときに、所定の特典を付与しうる特典付与手段と、
前記図柄判定手段によりボーナス役に対応する図柄の組み合わせが入賞したと判定されたときに、前記内部抽選により前記入賞役が主として選び出されることで、遊技者に多量の遊技媒体が付与されうるボーナスゲームを実行するボーナスゲーム実行手段と、
前記内部抽選により前記ハズレが主として選び出されうる通常遊技状態、
前記ボーナスゲームが終了したのちに制御されうるものであり、遊技者の停止操作手順に起因して成立しうる特定の条件が成立するまでの所定の期間にわたって、前記内部抽選により再ゲームの役が主として選び出されうるリプレイタイム、または
前記内部抽選により前記ボーナス役が選び出されたときに制御されうるものであり、該ボーナス役に対応する図柄の組み合わせの入賞を遅延させうるボーナス入賞遅延遊技状態に制御しうる遊技状態制御手段と、
所定の演出が行われる演出装置と、
前記内部抽選により選び出された役を少なくとも示唆しうる所定の演出を実行可能な演出制御手段と、
を備えるとともに、前記演出画像表示領域が前記情報表示領域のうち前記上端領域を除く略全域を占めるように、前記演出画像表示装置が配置された遊技機であって、
前記複数の入賞役のうち少なくとも第１の入賞役に対応する図柄の組み合わせは、前記小窓部に表出された図柄の組み合わせからは前記内部抽選により選び出された役を外観上把握困難に構成されており、
前記回動停止制御手段は、
前記内部抽選により第２の入賞役が選び出されたときには、所定の停止操作手順で前記回動表示体の停止操作が行われた場合に限り、当該選び出された第２の入賞役に対応する図柄の組み合わせが入賞するように前記各回動表示体の回動の停止を制御しうる回動停止特殊制御手段を有しており、
前記演出制御手段は、
少なくとも前記遊技状態制御手段により前記通常遊技状態に制御されているときは、前記内部抽選により前記第１の入賞役が選び出されたことと併せて、前記内部抽選により前記ボーナス役が選び出されるまで実行されうる極上演出の実行を抽選決定するとともに、
前記内部抽選により前記入賞役が主として選び出される前記ボーナスゲームが実行されているときは、前記ハズレが選び出された場合に限り、前記極上演出の実行を抽選決定する極上演出抽選手段と、
前記極上演出抽選手段により極上演出の実行が抽選決定された場合に、前記内部抽選により前記ボーナス役が選び出されるまで前記リプレイタイムを継続させるべく、当該リプレイタイムにおいて前記特定の条件の成立を回避可能に警告する警告ゲーム、および
当該リプレイタイムにおける内部抽選により前記第２の入賞役が選び出されたときには、当該第２の入賞役に対応する図柄の組み合わせが入賞するかたちで前記各回動表示体の回動の停止が制御されるべく、所定の停止操作手順で前記回動表示体の停止操作を行いうるよう補助する補助ゲーム、を少なくとも行うことで前記リプレイタイムでの遊技を有意に行いうる極上演出実行手段と、
前記内部抽選により選び出された役を前記演出画像表示領域に表示される演出画像から外観上把握可能とすべく、前記１回のゲーム毎に、前記内部抽選により選び出された役に対応する演出役画像を、前記演出画像表示領域に表示しうる毎ゲーム演出役画像表示制御手段と、
前記内部抽選により前記第１の入賞役が選び出された場合には、該第１の入賞役に対応する演出役画像として第１の演出役画像を、主として選び出すとともに、
前記第１の入賞役に対応する演出役画像として前記第１の演出役画像が選び出されなかった場合に限り、前記第１の演出役画像に代えて第２の演出役画像を選び出しうる演出役画像決定手段と、
前記演出役画像決定手段は、前記内部抽選手段により前記ボーナス役が選び出されたとしても、前記内部抽選により該ボーナス役とは異なる他の役が選び出されている場合には、前記ボーナス入賞遅延遊技状態に制御されていることを外観上把握困難となるように、前記ボーナス役に対応するボーナス演出役画像に代えて前記他の役に対応する演出役画像に決定し、
前記内部抽選により前記ボーナス役が選び出された場合には、前記ボーナス入賞遅延遊技状態に制御されることにより前記ボーナス演出役画像が表示されないなかで、複数のゲームにわたる一連の連続演出画像を、前記演出画像表示領域に表示しうる連続演出画像表示制御手段と、
前記連続演出画像表示制御手段は、前記内部抽選により前記ボーナス役が選び出されなかったとしても、いかにも前記ボーナス役が選び出されたかのように、複数のゲームにわたる一連の前記連続演出画像を、前記演出画像表示領域に表示しうるものであり、
少なくとも前記遊技状態制御手段により前記通常遊技状態に制御されているときは、前記演出役画像決定手段による選択確率と対蹠的なかたちで、前記極上演出抽選手段により抽選が行われるときは常に前記極上演出の実行が抽選決定される至極上抽選状態、または前記極上演出抽選手段により抽選が行われたとしても前記極上演出が実行されないハズレが主として抽選決定される通常抽選状態に制御しうる演出抽選状態制御手段と、
を備え、前記内部抽選により選び出された役が前記第１の入賞役である場合には、当該第１の入賞役として同じ役であるにもかかわらず、前記毎ゲーム演出役画像表示制御手段により表示される演出役画像しだいで、前記極上演出抽選手段による抽選において前記極上演出の実行が抽選決定される優位度を詮索可能とした
ことを特徴とする遊技機。
【請求項２】
前記抽選手段は、
遊技媒体を投入して行われる前記１回のゲーム毎に乱数を取得し、該取得した乱数を用いて前記内部抽選を行う
請求項１に記載の遊技機。
【請求項３】
前記演出画像表示領域には、キャラクタによる演出画像が表示される
請求項１または２に記載の遊技機。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
第１始動領域を遊技媒体が通過した後、可変表示の開始を許容する開始条件が成立したことにもとづいて各々を識別可能な複数種類の第１識別情報の可変表示を開始し、表示結果を導出表示する第１可変表示部と、第２始動領域を遊技媒体が通過した後、前記開始条件が成立したことにもとづいて各々を識別可能な複数種類の第２識別情報の可変表示を開始し、表示結果を導出表示する第２可変表示部と、を備え、前記第１可変表示部または前記第２可変表示部において導出表示された表示結果が特定表示結果となったことにもとづいて特定遊技状態となる遊技機において、
前記第１可変表示部における前記第１識別情報の可変表示または前記第２可変表示部における前記第２識別情報の可変表示に対応した演出を実行する演出表示装置と、
前記第１可変表示部における前記第１識別情報の可変表示または前記第２可変表示部における前記第２識別情報の可変表示に同期して、各々が識別可能な複数種類の特定識別情報を可変表示する特定可変表示部と、
遊技の進行を制御する遊技制御用マイクロコンピュータと、
前記遊技制御用マイクロコンピュータからのコマンドにもとづいて、前記第１識別情報の可変表示および前記第２識別情報の可変表示に対応した演出の実行を制御する演出制御用マイクロコンピュータと、を備え、
前記遊技制御用マイクロコンピュータは、
前記開始条件が成立したことにもとづいて、前記第１可変表示部における前記第１識別情報の可変表示の表示結果を前記特定表示結果とするか否かを前記第１識別情報の可変表示の表示結果が導出表示される以前に決定する第１事前決定手段と、
前記開始条件が成立したことにもとづいて、前記第２可変表示部における前記第２識別情報の可変表示の表示結果を前記特定表示結果とするか否かを前記第２識別情報の可変表示の表示結果が導出表示される以前に決定する第２事前決定手段と、
前記第１事前決定手段の決定結果にもとづいて、前記第１可変表示部における前記第１識別情報の可変表示を開始してから表示結果を導出表示するまでの可変表示時間を特定可能な前記第１識別情報の可変表示パターンを、複数種類の可変表示パターンのうちから決定する第１可変表示パターン決定手段と、
前記第２事前決定手段の決定結果にもとづいて、前記第２可変表示部における前記第２識別情報の可変表示を開始してから表示結果を導出表示するまでの可変表示時間を特定可能な前記第２識別情報の可変表示パターンを、複数種類の可変表示パターンのうちから決定する第２可変表示パターン決定手段と、
前記第１識別情報または前記第２識別情報の可変表示を開始するときに、前記第１可変表示パターン決定手段または前記第２可変表示パターン決定手段によって決定された可変表示パターンを特定可能な可変表示パターンコマンドと、前記第１事前決定手段の決定結果または前記第２事前決定手段の決定結果を示す表示結果コマンドとを、開始時コマンドとして送信する開始時コマンド送信手段と、
前記第１識別情報または前記第２識別情報の可変表示時間が経過したことにもとづいて、前記第１識別情報または前記第２識別情報の可変表示の停止を示す停止コマンドを送信する停止コマンド送信手段と、を含み、
前記開始時コマンド送信手段は、
前記第１可変表示パターン決定手段によって可変表示パターンが決定されたときと、前記第２可変表示パターン決定手段によって可変表示パターンが決定されたときとで、共通の前記可変表示パターンコマンドを送信するとともに、
前記第１事前決定手段によって決定された決定結果と前記第２事前決定手段によって決定された決定結果とのうちのいずれの決定結果であるかを特定可能に前記表示結果コマンドを送信し、
前記演出制御用マイクロコンピュータは、
前記演出表示装置において前記第１識別情報の可変表示または前記第２識別情報の可変表示に対応した演出を実行させる制御を行う演出実行制御手段と、
前記特定可変表示部において前記特定識別情報の可変表示を実行させる制御を行う特定可変表示実行制御手段と、を含み、
前記表示結果コマンドにもとづいて、前記第１識別情報の可変表示と前記第２識別情報の可変表示とのうちのいずれの可変表示が実行されるかを特定し、
前記演出実行制御手段は、
前記開始時コマンドにもとづいて、前記演出表示装置において前記第１識別情報の可変表示または前記第２識別情報の可変表示に対応した演出を開始させる制御を行う演出開始制御手段と、
前記可変表示パターンコマンドで特定される可変表示時間が経過したことにもとづいて、前記演出表示装置において前記第１識別情報の可変表示または前記第２識別情報の可変表示に対応した演出を停止させる制御を行う演出停止制御手段と、を含み、
前記特定可変表示実行制御手段は、
前記開始時コマンドにもとづいて、前記特定可変表示部において前記特定識別情報の可変表示を開始させる制御を行う特定可変表示開始制御手段と、
前記停止コマンドにもとづいて、前記特定可変表示部において前記特定識別情報の可変表示を停止させる制御を行う特定可変表示停止制御手段と、を含む
ことを特徴とする遊技機。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
複数の図柄が付されると共に上下方向に回動可能な複数の回動表示体が並んで配置される回動表示装置と、
所定の演出画像が表示される演出画像表示領域を有する演出画像表示装置と、
縦長矩形状の前面遊技部を有し、該前面遊技部の上端にて左右方向に伸びる上部材と当該上部材の両端側から下方に向かう一対の縦部材とで、前記前面遊技部の略上半部に区画形成される情報表示領域を有する筐体と、
前記複数の回転表示体の各々に対応して設けられ、ゲームが行われる毎に、回動している前記複数の回動表示体を外部操作によって個々に停止させうる停止操作手段と、
遊技媒体を投入して行われる１回のゲーム毎に、複数の入賞役とハズレとを含む役のなかからいずれかの役を選び出しうる内部抽選を行う抽選手段と、
前記内部抽選によりいずれかの入賞役が選び出されたときに、当該選び出された入賞役に対応する図柄の組み合わせが入賞しうるように前記各回動表示体の回動の停止を制御する回動停止制御手段と、
前記情報表示領域の上端領域には、前記回動表示体に付された複数の図柄のうち一またはニ以上の図柄が表出される小窓部が形成されており、
前記各回動表示体全てが停止された際に前記小窓部に表出された図柄の組み合わせに基づいて、前記複数の入賞役のうちいずれかの役に対応する図柄の組み合わせが入賞したか否かを判定する図柄判定手段と、
前記図柄判定手段により前記複数の入賞役のうちいずれかの入賞役に対応する図柄の組み合わせが入賞したと判定されたときに、前記１回のゲームの結果として、賞としての遊技媒体を含む所定の特典を付与しうる特典付与手段と、
前記図柄判定手段によりボーナス役に対応する図柄の組み合わせが入賞したと判定されたときに、遊技者に多量の遊技媒体が付与されうるボーナスゲームを実行するボーナスゲーム実行手段と、
前記内部抽選により前記ハズレが主として選び出されうる通常遊技状態、または
遊技者の停止操作手順に起因して成立しうる特定の条件が成立するまでの所定の期間にわたって、前記内部抽選により再ゲームの役が主として選び出されうることで遊技媒体を投入することなくゲームを実行しうるリプレイタイム、に制御しうる遊技状態制御手段と、
所定の演出が行われる演出装置と、
前記内部抽選により選び出された役を少なくとも示唆しうる所定の演出を実行可能な演出制御手段と、
を備えるとともに、前記演出画像表示領域が前記情報表示領域のうち前記上端領域を除く略全域を占めるように、前記演出画像表示装置が配置された遊技機であって、
前記複数の入賞役のうち少なくとも第１の入賞役に対応する図柄の組み合わせは、前記小窓部に表出された図柄の組み合わせからは前記内部抽選により選び出された役を外観上把握困難に構成されており、
前記回動停止制御手段は、
前記内部抽選により第２の入賞役が選び出されたときには、所定の停止操作手順で前記回動表示体の停止操作が行われた場合に限り、当該選び出された第２の入賞役に対応する図柄の組み合わせが入賞するように前記各回動表示体の回動の停止を制御しうる回動停止特殊制御手段を有しており、
前記演出制御手段は、
少なくとも前記遊技状態制御手段により前記通常遊技状態に制御されているときは、前記内部抽選により前記第１の入賞役が選び出されたことと併せて、前記内部抽選により前記ボーナス役が選び出されるまで実行されうる極上演出の実行を抽選決定するとともに、
前記遊技状態制御手段により前記リプレイタイムに制御されているときは、前記内部抽選により前記再ゲームの役が主として選び出されるにもかかわらず前記ハズレが選び出された場合に、前記極上演出の実行を抽選決定する極上演出抽選手段と、
前記極上演出抽選手段により極上演出の実行が抽選決定された場合に、前記内部抽選により前記ボーナス役が選び出されるまで前記リプレイタイムを継続させるべく、当該リプレイタイムにおいて前記特定の条件の成立を回避可能に警告する警告ゲーム、および
当該リプレイタイムにおける内部抽選により前記第２の入賞役が選び出されたときには、当該第２の入賞役に対応する図柄の組み合わせが入賞するかたちで前記各回動表示体の回動の停止が制御されるべく、所定の停止操作手順で前記回動表示体の停止操作を行いうるよう補助する補助ゲーム、を少なくとも行うことで前記リプレイタイムでのゲームが進行するに伴って遊技媒体が漸増しうるように有意に行いうる極上演出実行手段と、
前記内部抽選により選び出された役を前記演出画像表示領域に表示される演出画像から外観上把握可能とすべく、前記１回のゲーム毎に、前記内部抽選により選び出された役に対応する演出役画像を、前記演出画像表示領域に表示しうる毎ゲーム演出役画像表示制御手段と、
前記内部抽選により前記第１の入賞役が選び出された場合には、該第１の入賞役に対応する演出役画像として第１の演出役画像を、主として選び出すとともに、
前記第１の入賞役に対応する演出役画像として前記第１の演出役画像が選び出されなかった場合に限り、前記第１の演出役画像に代えて第２の演出役画像を選び出しうる演出役画像決定手段と、
少なくとも前記遊技状態制御手段により前記通常遊技状態に制御されているときは、前記演出役画像決定手段による選択確率と対蹠的なかたちで、前記極上演出抽選手段により抽選が行われるときは常に前記極上演出の実行が抽選決定される至極上抽選状態、または前記極上演出抽選手段により抽選が行われたとしても前記極上演出が実行されないハズレが主として抽選決定される通常抽選状態に制御しうる演出抽選状態制御手段と、
を備え、前記内部抽選により選び出された役が前記第１の入賞役である場合には、当該第１の入賞役として同じ役であるにもかかわらず、前記毎ゲーム演出役画像表示制御手段により表示される演出役画像しだいで、前記極上演出抽選手段による抽選において前記極上演出の実行が抽選決定される優位度を詮索可能としたものであり、
前記極上演出抽選手段は、
前記極上演出が実行されている場合には、該極上演出実行中のリプレイタイムにおける前記内部抽選により前記ハズレが選び出されたことに基づいて、所定の確率で前記極上演出抽選の実行を抽選決定するものである
ことを特徴とする遊技機。
【請求項２】
前記抽選手段は、
遊技媒体を投入して行われる前記１回のゲーム毎に乱数を取得し、該取得した乱数を用いて前記内部抽選を行う
請求項１に記載の遊技機。
【請求項３】
前記演出画像表示領域には、キャラクタによる表示演出が表示される
請求項１または２に記載の遊技機。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
洗車機本体が設置される洗車スペースと、洗車スペースへの入場口に備えられる洗車受付装置と、洗車スペースの入場口から洗車機本体によって洗車サービスを受ける自動車の停車位置までの間の床面に設けられる車体下部洗浄装置とを備え、洗車スペースの入場口から停車位置に乗り入れるまでの間に車体下部洗浄装置による高圧洗浄を受け、停車位置に停車して洗車機本体による洗車を受け、洗車終了後に前進させて退場する洗車装置であって、
洗車受付装置で下部洗浄を選択すると、洗車機本体を車体下部洗浄装置の上面を覆う位置に待機させる制御装置を備えたことを特徴とする洗車装置。
【請求項２】
洗車スペースへの入場を規制するゲート装置を備え、制御装置は、洗車機本体が車体下部洗浄装置の上面を覆う位置に停止してからゲート装置を開放することを特徴とする上記請求項１記載の洗車装置。
【請求項３】
洗車機本体の前部に自動車を検出する車体検出装置を備え、制御装置は、車体下部洗浄装置の上面を覆う位置にある洗車機本体の車体検出装置で自動車を検出したら車体下部洗浄装置を駆動することを特徴とする上記請求項１又は２記載の洗車装置。
【請求項４】
車体下部洗浄装置の駆動時間を計測するタイマと、洗車機本体の後部に自動車を検出する車体検出装置を備え、制御装置は、設定された駆動時間が経過したことをタイマが検出するか、もしくは  車体検出装置で自動車を検出しなくなったら車体下部洗浄装置を停止するとともに、洗車機を洗車開始位置まで後進させることを特徴とする上記請求項１乃至３記載の洗車装置。
【手続補正２】
【補正対象書類名】明細書
【補正対象項目名】０００５
【補正方法】変更
【補正の内容】
【０００５】
本発明は上記課題を解決するため、洗車機本体が設置される洗車スペースと、洗車スペースへの入場口に備えられる洗車受付装置と、洗車スペースの入場口から洗車機本体によって洗車サービスを受ける自動車の停車位置までの間の床面に設けられる車体下部洗浄装置とを備え、洗車スペースの入場口から停車位置に乗り入れるまでの間に車体下部洗浄装置による高圧洗浄を受け、停車位置に停車して洗車機本体による洗車を受け、洗車終了後に前進させて退場する洗車装置であって、洗車受付装置で下部洗浄を選択すると、洗車機本体を車体下部洗浄装置の上面を覆う位置に待機させる制御装置を備えたものである。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
基材と、該基材上に２層以上のインク受容層を備えた記録媒体であって、
該２層以上のインク受容層のうち、最表面のインク受容層は、乾燥塗工量が５ｇ／ｍ２以上、２０ｇ／ｍ２以下であり、２価の金属化合物が接触したアルミナ水和物を含有し、該最表面のインク受容層における２価の金属の元素量とアルミニウムの元素量の割合［（２価の金属の元素量）／（アルミニウムの元素量）］は、０．００１以上、０．０３以下であることを特徴とする記録媒体。
【請求項２】
該２価の金属化合物が接触したアルミナ水和物は、アルミナ水和物を２価の金属化合物の存在下でスプレードライ法で乾燥することで得られる請求項１に記載の記録媒体。
【請求項３】
該２価の金属は、Ｍｇ、Ｃａ、Ｓｒ及びＢａから選ばれる１種以上の金属である請求項１または２に記載の記録媒体。
【請求項４】
該２層以上のインク受容層のうち、該最表面のインク受容層以外のインク受容層は、乾燥塗工量が３０ｇ／ｍ２以上、６０ｇ／ｍ２以下である請求項１乃至３の何れか１項に記載の記録媒体。
【手続補正２】
【補正対象書類名】明細書
【補正対象項目名】０００６
【補正方法】変更
【補正の内容】
【０００６】
本発明は、基材と、該基材上に２層以上のインク受容層を備えた記録媒体であって、該２層以上のインク受容層のうち、最表面のインク受容層は、乾燥塗工量が５ｇ／ｍ２以上、２０ｇ／ｍ２以下であり、２価の金属化合物が接触したアルミナ水和物を含有し、該最表面のインク受容層における２価の金属の元素量とアルミニウムの元素量の割合［（２価の金属の元素量）／（アルミニウムの元素量）］は、０．００１以上、０．０３以下であることを特徴とする記録媒体である。
【手続補正３】
【補正対象書類名】明細書
【補正対象項目名】００１２
【補正方法】変更
【補正の内容】
【００１２】
表面に水分子が吸着していないアルミナ水和物の状態を図２（ａ）に示す。図２（ａ）では、アルミナ水和物にはルイス酸点（５０１）及び塩基点（５０２）が存在している。しかしながら、大気中の水分や染色するためのインク等を付与すると、図２（ａ）中のルイス酸点（５０１）に水分子が吸着して、図２（ｂ）に示すようにブレンステッド酸点（６０１）に変化する。このブレンステッド酸点に吸着している水分子がオゾン等のガスの影響を受けると、オゾンと付着水との相互作用によりラジカルが発生する。そして、該ラジカルがアルミナ水和物表面に染着している色材に対し、強く酸化を行い、色材が分解する。この結果、色材の劣化が生じる。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
Ｘ線を被検体に照射することにより被検体内部の画像を取得するＸ線画像診断装置であって、
各検査の都度、前記被検体に照射したＸ線の線量を、被曝線量履歴データとして被曝線量履歴データベースに蓄積して記憶する被曝線量履歴蓄積手段と、
前記被曝線量履歴データベースに記憶されている被曝線量履歴データを閲覧可能に表示させるための閲覧手段と、
前記被曝線量履歴データベースに記憶されている被曝線量履歴データの全部または一部と、コンピュータに読み込ませることにより前記閲覧手段を実現する閲覧用プログラムとを共に、同一の可搬記録媒体に記録する記録制御手段と、
を備えることを特徴とするＸ線画像診断装置。
【請求項２】
前記記録制御手段は、
当該Ｘ線画像診断装置によって取得した画像のうち、前記可搬記録媒体に記録する被曝線量履歴データに関連する画像を更に当該可搬記録媒体に記録することを特徴とする請求項１に記載のＸ線画像診断装置。
【請求項３】
前記被曝線量履歴データベースに記憶されている被曝線量履歴データのうち、前記可搬記録媒体への記録内容を指定する指定手段を備え、
前記記録制御手段は、前記指定手段により指定された記録内容を前記閲覧用プログラムと共に、前記可搬記録媒体に記録することを特徴とする請求項１又は請求項２に記載のＸ線画像診断装置。
【請求項４】
前記閲覧用プログラムは、コンピュータを、
複数の検査の被曝線量履歴データを一覧表示する際に、被曝線量に応じて各被曝線量履歴データを識別表示する識別表示手段として機能させるためのプログラムを、
更に含むことを特徴とする請求項１乃至請求項３のいずれかに記載のＸ線画像診断装置。
【請求項５】
前記閲覧用プログラムは、コンピュータを、
対象とする被検体について、その被検体の所定期間内での被曝線量及び所定の許容被曝線量の指標値に基づき、次の検査における推奨設定条件を算出し、提示する推奨設定条件提示手段として機能させるためのプログラムを、
更に含むことを特徴とする請求項１乃至請求項４のいずれかに記載のＸ線画像診断装置。
【請求項６】
前記閲覧用プログラムは、コンピュータを、
入力された検索条件に従い、前記被曝線量履歴データを検索し、表示する検索手段として機能させるためのプログラムを、
更に含むことを特徴とする請求項１乃至請求項５のいずれかに記載のＸ線画像診断装置。
【請求項７】
請求項１乃至請求項６のいずれかに記載のＸ線画像診断装置によって、
検査における被曝線量の履歴である被曝線量履歴データと、
当該被曝線量履歴データを閲覧可能に表示させるための閲覧用プログラムと、
が共に記録されたことを特徴とする可搬記録媒体。
【請求項８】
当該可搬記録媒体に記録される被曝線量履歴データは、一の被検体に関するものであることを特徴とする請求項７に記載の可搬記録媒体。
【請求項９】
当該可搬記録媒体には、更に、
前記被曝線量履歴データに関連する画像が記録されていることを特徴とする請求項７又は請求項８に記載の可搬記録媒体。
【請求項１０】
前記閲覧用プログラムは、コンピュータを、
新規被曝線量履歴データを当該可搬記録媒体に追記するための書込手段として機能させるためのプログラムを、
更に含むことを特徴とする請求項７乃至請求項９のいずれかに記載の可搬記録媒体。
【請求項１１】
前記書込手段は、更に、ユーザに応じた書き込み権限を設定することを特徴とする請求項１０に記載の可搬記録媒体。